(57)【要約】【課題】低温低圧のガス状冷媒が流れる流路での圧力損失を低減しうる二重管式熱交換器用継手を提供する。【解決手段】二重管式熱交換器用継手１は、内部が高圧冷媒流路６となされた外管４および内部が低圧冷媒流路７となされた内管５を有する二重管式熱交換器２を、高圧冷媒供給路および低圧冷媒排出路を有する膨張弁に接続する。二重管式熱交換器用継手１は、一端が内管５の低圧冷媒流路７に通じるとともに他端が膨張弁の低圧冷媒排出路に通じる第１流路16、一端が外管４の高圧冷媒流路６に通じる第２流路17、および一端が膨張弁の高圧冷媒供給路に通じる第３流路18を有しかつ二重管式熱交換器２が接合される継手本体20と、継手本体20に接合されかつ第２流路17の他端と第３流路18の他端とを通じさせる連通パイプ21とを備えている。内管５と第１流路16とを直線状に並べる。【選択図】図３
2010025460.tif 000002
【特許請求の範囲】
【請求項１】
外管および外管内に間隔をおいて配置された内管を有し、かつ外管内が高圧冷媒流路となされるとともに内管内が低圧冷媒流路となされた二重管式熱交換器を、高圧冷媒供給路および低圧冷媒排出路を有する膨張弁に接続する二重管式熱交換器用継手であって、
一端が内管の低圧冷媒流路に通じるとともに他端が膨張弁の低圧冷媒排出路に通じる第１流路、一端が外管の高圧冷媒流路に通じる第２流路、および一端が膨張弁の高圧冷媒供給路に通じる第３流路を有し、かつ二重管式熱交換器が接合されるブロック状の継手本体と、継手本体に接合されかつ第２流路の他端と第３流路の他端とを通じさせる連通パイプとを備えており、内管と第１流路とが直線状に並んでいる二重管式熱交換器用継手。
【請求項２】
継手本体が、膨張弁側を向く第１面および第１面とは反対側を向く第２面を有しており、第１流路および第３流路の膨張弁側端部が継手本体の第１面に開口し、継手本体の第１面と第２面との間に、継手本体を膨張弁に固定する締結具を通す締結具挿通穴が貫通状に形成され、締結具挿通穴の第１面側の開口が、第１流路および第３流路の第１面側の開口間に位置している請求項１記載の二重管式熱交換器用継手。
【請求項３】
継手本体の第１面における第１流路の開口の周囲の部分に、膨張弁の低圧冷媒排出路内に挿入される筒状突出部が設けられ、同じく第３流路の周囲の部分に、膨張弁の高圧冷媒供給路内に挿入される筒状突出部が設けられている請求項２記載の二重管式熱交換器用継手。
【請求項４】
継手本体の第２面に円筒状の凹所が形成され、凹所の底面と第１面との間に第１流路が形成され、第１流路における少なくとも凹所側端部の内周面が、凹所の内径よりも小さな内径を有する円筒状面となされ、二重管式熱交換器の外管の端部が凹所内に嵌め入れられて継手本体に接合され、内管の端部が外管の端部よりも外方に突出させられるとともに第１流路内に嵌め入れられて継手本体に接合されている請求項２または３記載の二重管式熱交換器用継手。
【請求項５】
内管の中心線と第１流路の前記円筒状面の中心線とが同一直線上に位置している請求項４記載の二重管式熱交換器用継手。
【請求項６】
継手本体における第１面と第２面との間の部分に、連通パイプの両端部が接合される２つのパイプ接合面が設けられており、第１パイプ接合面と凹所の内周面との間に第２流路が形成され、第２パイプ接合面と第１面との間に第３流路が形成されている請求項２〜５のうちのいずれかに記載の二重管式熱交換器用継手。
【請求項７】
第２流路が、第１パイプ接合面と直角をなす直線状であり、第３流路が、一端が第２パイプ接合面に開口するとともに、第２パイプ接合面と直角をなす第１直線部と、一端が第１直線部に連なるとともに他端が第１面に開口した第２直線部とよりなり、第１流路および第３流路における第１面側の開口の中心を結ぶ直線と第２流路とのなす角度、ならびに第１流路および第３流路における第１面側の開口の中心を結ぶ直線と第３流路の第１直線部とのなす角度のうちの少なくともいずれか一方の角度が３０〜８５度である請求項６記載の二重管式熱交換器用継手。
【請求項８】
第１パイプ接合面と第２パイプ接合面とが同一平面内に位置している請求項６記載の二重管式熱交換器用継手。
【請求項９】
連通パイプが少なくとも一箇所において曲げられている請求項１〜８のうちのいずれかに記載の二重管式熱交換器用継手。
【発明の詳細な説明】
【技術分野】
【０００１】
この発明は二重管式熱交換器用継手に関し、さらに詳しくは、外管および外管内に間隔をおいて配置された内管を有する二重管式熱交換器を、高圧冷媒供給路および低圧冷媒排出路を有する膨張弁に接続する二重管式熱交換器用継手に関する。
【背景技術】
【０００２】
従来、カーエアコンに用いられる冷凍サイクルとして、コンプレッサ、凝縮部と過冷却部とを有するコンデンサ、エバポレータ、減圧器としての膨張弁、気液分離器、およびコンデンサとエバポレータとの間に配置され、かつコンデンサの過冷却部から出てきた高温高圧の冷媒とエバポレータから出てきた低温低圧の冷媒とを熱交換させる二重管式熱交換器を備えており、二重管式熱交換器が、外管および外管内に間隔をおいて配置された内管を有し、内管内がコンデンサの過冷却部から出てきた高温高圧冷媒の高圧冷媒流路となり、内管と外管との間がエバポレータから出てきた低温低圧冷媒の低圧冷媒流路となっているものが知られている。このような冷凍サイクルにおいては、二重管式熱交換器が継手によって高圧冷媒供給路および低圧冷媒排出路を有する膨張弁に接続され、コンデンサから出てきた高圧冷媒が、二重管式熱交換器において、エバポレータから出てきた低温の冷媒によりさらに冷却され、これによりエバポレータの冷却性能が向上させられるようになっている。
【０００３】
従来、二重管式熱交換器を膨張弁に接続する継手として、一端が外管内の低圧冷媒流路に通じるとともに他端が膨張弁の低圧冷媒排出路に通じる第１流路、および一端が内管内の高圧冷媒流路に通じるとともに他端が膨張弁の高圧冷媒供給路に通じる第２流路を有するブロック状の継手本体を備えており、継手本体が、膨張弁側を向く第１面および第１面と直角をなす第２面を有し、第１流路が、継手本体の第２面に形成された凹所および凹所の内周面から第１面へとのびる直線部からなるとともに、流れ方向の途中において直角に曲がり、第２流路が、凹所の底面と第１面との間に形成されるとともに、流れ方向の途中において直角に曲がり、二重管式熱交換器の外管の端部が凹所内に嵌め入れられて継手本体に接合されるとともに、内管の端部が第２流路内に嵌め入れられて継手本体に接合されている継手が知られている（特許文献１参照）。
【０００４】
しかしながら、特許文献１記載の継手の場合、継手本体におけるエバポレータから出てきた低温低圧のガス状冷媒が流れる第１流路が、流れ方向の途中において直角に曲がっているので、圧力損失が大きくなるという問題がある。また、第２流路が継手本体の中心部に形成されているため、図示は省略されているが、継手本体を膨張弁に固定する締結具を通す締結具挿通穴を貫通状に形成することができない。
【特許文献１】特開２００２−２１３８４２号公報
【発明の開示】
【発明が解決しようとする課題】
【０００５】
この発明の目的は、上記問題を解決し、低温低圧のガス状冷媒が流れる流路での圧力損失を低減しうる二重管式熱交換器用継手を提供することにある。
【課題を解決するための手段】
【０００６】
本発明は、上記目的を達成するために以下の態様からなる。  
1)外管および外管内に間隔をおいて配置された内管を有し、かつ外管内が高圧冷媒流路となされるとともに内管内が低圧冷媒流路となされた二重管式熱交換器を、高圧冷媒供給路および低圧冷媒排出路を有する膨張弁に接続する二重管式熱交換器用継手であって、
一端が内管の低圧冷媒流路に通じるとともに他端が膨張弁の低圧冷媒排出路に通じる第１流路、一端が外管の高圧冷媒流路に通じる第２流路、および一端が膨張弁の高圧冷媒供給路に通じる第３流路を有し、かつ二重管式熱交換器が接合されるブロック状の継手本体と、継手本体に接合されかつ第２流路の他端と第３流路の他端とを通じさせる連通パイプとを備えており、内管と第１流路とが直線状に並んでいる二重管式熱交換器用継手。
【０００７】
2)継手本体が、膨張弁側を向く第１面および第１面とは反対側を向く第２面を有しており、第１流路および第３流路の膨張弁側端部が継手本体の第１面に開口し、継手本体の第１面と第２面との間に、継手本体を膨張弁に固定する締結具を通す締結具挿通穴が貫通状に形成され、締結具挿通穴の第１面側の開口が、第１流路および第３流路の第１面側の開口間に位置している上記1)記載の二重管式熱交換器用継手。
【０００８】
3)継手本体の第１面における第１流路の開口の周囲の部分に、膨張弁の低圧冷媒排出路内に挿入される筒状突出部が設けられ、同じく第３流路の周囲の部分に、膨張弁の高圧冷媒供給路内に挿入される筒状突出部が設けられている上記2)記載の二重管式熱交換器用継手。
【０００９】
4)継手本体の第２面に円筒状の凹所が形成され、凹所の底面と第１面との間に第１流路が形成され、第１流路における少なくとも凹所側端部の内周面が、凹所の内径よりも小さな内径を有する円筒状面となされ、二重管式熱交換器の外管の端部が凹所内に嵌め入れられて継手本体に接合され、内管の端部が外管の端部よりも外方に突出させられるとともに第１流路内に嵌め入れられて継手本体に接合されている上記2)または3)記載の二重管式熱交換器用継手。
【００１０】
5)内管の中心線と第１流路の前記円筒状面の中心線とが同一直線上に位置している上記4)記載の二重管式熱交換器用継手。
【００１１】
6)継手本体における第１面と第２面との間の部分に、連通パイプの両端部が接合される２つのパイプ接合面が設けられており、第１パイプ接合面と凹所の内周面との間に第２流路が形成され、第２パイプ接合面と第１面との間に第３流路が形成されている上記2)〜5)のうちのいずれかに記載の二重管式熱交換器用継手。
【００１２】
7)第２流路が、第１パイプ接合面と直角をなす直線状であり、第３流路が、一端が第２パイプ接合面に開口するとともに、第２パイプ接合面と直角をなす第１直線部と、一端が第１直線部に連なるとともに他端が第１面に開口した第２直線部とよりなり、第１流路および第３流路における第１面側の開口の中心を結ぶ直線と第２流路とのなす角度、ならびに第１流路および第３流路における第１面側の開口の中心を結ぶ直線と第３流路の第１直線部とのなす角度のうちの少なくともいずれか一方の角度が３０〜８５度である上記6)記載の二重管式熱交換器用継手。
【００１３】
8)第１パイプ接合面と第２パイプ接合面とが同一平面内に位置している上記6)記載の二重管式熱交換器用継手。
【００１４】
9)連通パイプが少なくとも一箇所において曲げられている上記1)〜8)のうちのいずれかに記載の二重管式熱交換器用継手。
【発明の効果】
【００１５】
上記1)の二重管式熱交換器用継手によれば、一端が内管の低圧冷媒流路に通じるとともに他端が膨張弁の低圧冷媒排出路に通じる第１流路、一端が外管の高圧冷媒流路に通じる第２流路、および一端が膨張弁の高圧冷媒供給路に通じる第３流路を有し、かつ二重管式熱交換器が接合されるブロック状の継手本体と、継手本体に接合されかつ第２流路の他端と第３流路の他端とを通じさせる連通パイプとを備えており、内管と第１流路とが直線状に並んでいるので、低温低圧のガス状冷媒が流れる第１流路での圧力損失を低減させることができる。
【００１６】
上記2)の二重管式熱交換器用継手によれば、継手本体が、膨張弁側を向く第１面および第１面とは反対側を向く第２面を有しており、第１流路および第３流路の膨張弁側端部が継手本体の第１面に開口し、継手本体の第１面と第２面との間に、継手本体を膨張弁に固定する締結具を通す締結具挿通穴が貫通状に形成され、締結具挿通穴の第１面側の開口が、第１流路および第３流路の第１面側の開口間に位置しているので、締結具挿通穴を簡単に形成することができる。また、第２面における締結具挿通穴の周囲の部分には障害物が存在しないので、締結具による継手本体と膨張弁との固定作業を簡単に行うことができる。
【００１７】
上記4)の二重管式熱交換器用継手によれば、継手本体の第２面に円筒状の凹所が形成され、凹所の底面と第１面との間に第１流路が形成され、第１流路における少なくとも凹所側端部の内周面が、凹所の内径よりも小さな内径を有する円筒状面となされ、二重管式熱交換器の外管の端部が凹所内に嵌め入れられて継手本体に接合され、内管の端部が外管の端部よりも外方に突出させられるとともに第１流路内に嵌め入れられて継手本体に接合されているので、一端が内管の低圧冷媒流路に通じるとともに他端が膨張弁の低圧冷媒排出路に通じる第１流路を比較的簡単に形成することができる。
【００１８】
上記5)の二重管式熱交換器用継手によれば、低温低圧のガス状冷媒が流れる第１流路での圧力損失を確実に低減させることができる。
【００１９】
上記6)の二重管式熱交換器用継手によれば、継手本体における第１面と第２面との間の部分に、連通パイプの両端部が接合される２つのパイプ接合面が設けられており、第１パイプ接合面と凹所の内周面との間に第２流路が形成され、第２パイプ接合面と第１面との間に第３流路が形成されているので、一端が外管の高圧冷媒流路に通じる第２流路、および一端が膨張弁の高圧冷媒供給路に通じる第３流路を比較的簡単に形成することができるとともに、第２流路の他端と第３流路の他端とを比較的簡単に連通パイプによって通じさせることができる。
【００２０】
上記7)の二重管式熱交換器用継手によれば、第２流路が、第１パイプ接合面と直角をなす直線状であり、第３流路が、一端が第２パイプ接合面に開口するとともに、第２パイプ接合面と直角をなす第１直線部と、一端が第１直線部に連なるとともに他端が第１面に開口した第２直線部とよりなり、第１流路および第３流路における第１面側の開口の中心を結ぶ直線と第２流路とのなす角度、ならびに第１流路および第３流路における第１面側の開口の中心を結ぶ直線と第３流路の第１直線部とのなす角度のうちの少なくともいずれか一方の角度が３０〜８５度であるので、連通パイプの長さを短くすることができるとともに、連通パイプの継手本体からの張り出し量を比較的小さくすることができ、継手の小型化を図ることができる。
【発明を実施するための最良の形態】
【００２１】
以下、この発明の実施形態を、図面を参照して説明する。
【００２２】
なお、以下の説明において、「アルミニウム」という用語には、純アルミニウムの他にアルミニウム合金を含むものとする。
【００２３】
また、以下の説明において、各図面の上下を上下といい、図２および図４の左右を左右というものとする。また、膨張弁側を向く側（図３および図６の左側）を前、これと反対側を後というものとする。
【００２４】
実施形態１
この実施形態は図１〜図３に示すものである。
【００２５】
図１〜図３に示すように、二重管式熱交換器用継手(1)は、二重管式熱交換器(2)を膨張弁(3)に接続するものである。二重管式熱交換器(2)は、外管(4)と、外管(4)内に間隔をおいて配置され、かつ端部が外管(4)の端部よりも外方に突出した内管(5)とを有しており、外管(4)内、すなわち外管(4)と内管(5)との間の間隙が高圧冷媒流路(6)となされるとともに内管(5)内が低圧冷媒流路(7)となされたものである。膨張弁(3)は、エバポレータ(8)の入口ヘッダ(9)からのびる入口パイプ(11)と、同じく出口ヘッダ(12)からのびる出口パイプ(13)とに跨って取り付けられたもので、入口パイプ(11)に高温高圧の液相冷媒を供給する高圧冷媒供給路(14)と、出口パイプ(13)から低温低圧の気相冷媒を排出する低圧冷媒排出路(15)を有している。そして、二重管式熱交換器用継手(1)は、二重管式熱交換器(2)の高圧冷媒流路(6)が膨張弁(3)の高圧冷媒供給路(14)に、同じく低圧冷媒流路(7)が低圧冷媒排出路(15)にそれぞれ連通するように、二重管式熱交換器(2)を膨張弁(3)に接続する。
【００２６】
二重管式熱交換器用継手(1)は、一端が内管(5)の低圧冷媒流路(7)に通じるとともに他端が膨張弁(3)の低圧冷媒排出路(15)に通じる第１流路(16)、一端が外管(4)の高圧冷媒流路(6)に通じる第２流路(17)、および一端が膨張弁(3)の高圧冷媒供給路(14)に通じる第３流路(18)を有し、かつ二重管式熱交換器(2)が接合されるブロック状のアルミニウム製継手本体(20)と、継手本体(20)に接合されかつ第２流路(17)の他端と第３流路(18)の他端とを通じさせるアルミニウム製連通パイプ(21)とを備えている。
【００２７】
継手本体(20)は、膨張弁(3)側（前側）を向く第１面(22)と、第１面(22)とは反対側（後側）を向くとともに第１面(22)と平行な第２面(23)と、第１および第２面(22)(23)と直角をなすとともに左斜め下方を向く第１パイプ接合面(24)と、第１パイプ接合面(24)の下方に形成され、かつ第１および第２面(23)と直角をなすとともに左斜め上方を向く第２パイプ接合面(25)とを有している。第１パイプ接合面(24)と第２パイプ接合面(25)とは直角をなしている。
【００２８】
継手本体(20)の第２面(23)の上部には、円筒状の凹所(26)が形成されており、凹所(26)の底面と第１面(22)との間に、左右方向にのびる真っ直ぐな第１流路(16)が形成されている。凹所(26)の開口端部（後端部）に大径部(27)が形成されている。第１流路(16)の内周面は凹所(26)の内径よりも小さな内径を有する円筒状面であり、第３流路(18)の凹所(26)側端部（後端部）に、凹所(26)の内径よりも小さな内径を有する大径部(28)が形成されている。そして、二重管式熱交換器(2)の外管(4)の端部が凹所(26)の大径部(27)内に嵌め入れられて継手本体(20)にろう付されるとともに、内管(5)の端部が第１流路(16)の大径部(28)内に嵌め入れられて継手本体(20)にろう付されている。内管(5)の中心線と第１流路(16)の中心線とは同一直線上に位置している
継手本体(20)における凹所(26)の内周面と第１パイプ接合面(24)との間に、第１パイプ接合面(24)と直角をなしかつ凹所(26)の中心線から左斜め下方に真っ直ぐに伸びる第２流路(17)が形成されている。第２流路(17)の一端部は凹所(26)を介して外管(4)の高圧冷媒流路(6)に通じている。
【００２９】
継手本体(20)における第１面(22)と第２パイプ接合面(25)との間に第３流路(18)が形成されている。第３流路(18)は、一端が第２パイプ接合面(25)に開口するとともに、第２パイプ接合面(25)と直角をなす第１直線部(30)と、一端が第１直線部(30)に連なるとともに他端が第１面(22)の下部に開口し、かつ第１直線部(30)と直角をなす第２直線部(31)とよりなる。
【００３０】
ここで、第１流路(16)および第３流路(18)における第１面(22)側の開口の中心を結ぶ直線(L)と第２流路(17)とのなす角度X、ならびに第１流路(16)および第３流路(18)における第１面(22)側の開口の中心を結ぶ直線と第３流路(18)の第１直線部(30)とのなす角度Yのうちの少なくともいずれか一方の角度が３０〜８５度であることが好ましい。
【００３１】
継手本体(20)の第１面(22)における第１流路(16)の開口の周囲の部分に、膨張弁(3)の低圧冷媒排出路(15)内に挿入される筒状突出部(32)が設けられ、同じく第３流路(18)の周囲の部分に、膨張弁(3)の高圧冷媒供給路(14)内に挿入される筒状突出部(33)が設けられている。各筒状突出部(32)(33)の周囲にはＯリング(34)(35)が装着されている。
【００３２】
また、継手本体(20)の上下方向の中央部において、第１面(22)と第２面(23)との間に、前後方向に真っ直ぐにのびかつ継手本体(20)を膨張弁(3)に固定するボルト、おねじなどの締結具を通す締結具挿通穴(36)が貫通状に形成されている。締結具挿通穴(36)の第１面(22)側の開口は、前記直線(L)上において第１流路(16)および第３流路(18)の第１面(22)側の開口間に位置している。
【００３３】
連通パイプ(21)は、１箇所において曲げられており、一端部が第２流路(17)の第１パイプ接合面(24)側の開口内に挿入されるとともに、他端部が第３流路(18)の第２パイプ接合面(25)側の開口内に挿入された状態で継手本体(20)にろう付されている。
【００３４】
上述のように構成された二重管式熱交換器用継手(1)は、第１流路(16)側の筒状突出部(32)が低圧冷媒排出路(15)内に、第３流路(18)側の筒状突出部(33)が高圧冷媒供給路(14)内にそれぞれ挿入され、継手本体(20)の第１面(22)が膨張弁(3)に面接触された状態で、締結具挿通穴(36)に通されたボルト(37)を膨張弁(3)に形成されたねじ穴(38)にねじ嵌めることにより膨張弁(3)に固定されている。
【００３５】
そして、コンデンサから外管(4)内の高圧冷媒流路(6)を流れてきた高圧冷媒が、凹所(26)、第２流路(17)、連通パイプ(21)および第３流路(18)を通って膨張弁(3)の高圧冷媒供給路(14)に流れ込み、ここで減圧された後に、入口パイプ(11)を通ってエバポレータ(8)の入口ヘッダ(9)部内に流入する。一方、エバポレータ(8)の出口ヘッダ(12)から出口パイプ(13)を通って膨張弁(3)の低圧冷媒排出路(15)内に流入してきた低圧冷媒が、低圧冷媒排出路(15)を通るとともに、第１流路(16)を通って内管(5)内の低圧冷媒流路(7)に流れ込む。そして、内管(5)と第１流路(16)とが直線状に並んでいるので、低温低圧のガス状冷媒が流れる第１流路(16)での圧力損失を低減させることができる。
【００３６】
実施形態２
この実施形態は図４〜図６に示すものである。
【００３７】
この実施形態の二重管式熱交換器用継手(40)の継手本体(41)の第１パイプ接合面(42)および第２パイプ接合面(43)は、第１面(22)および第２面(23)と直角をなし、かつ継手本体(41)の左側面となる１つの平面上に位置している。継手本体(41)における凹所(26)の内周面と第１パイプ接合面(42)との間に、第１パイプ接合面(42)と直角をなしかつ凹所(26)の中心線から左方に真っ直ぐに伸びる第２流路(44)が形成されている。第２流路(44)の一端部は凹所(26)を介して外管(4)の高圧冷媒流路(6)に通じている。
【００３８】
継手本体(41)における第１面(22)と第２パイプ接合面(43)との間に第３流路(45)が形成されている。第３流路(45)は、一端が第２パイプ接合面(43)に開口するとともに、第２パイプ接合面(43)と直角をなす第１直線部(46)と、一端が第１直線部(46)に連なるとともに他端が第１面(22)に開口し、かつ第１直線部(46)と直角をなす第２直線部(47)とよりなる。第１パイプ接合面(42)および第２パイプ接合面(43)が同一平面内に位置していることから、第２流路(44)と第３流路(45)の第２直線部(47)は平行となっている。
【００３９】
連通パイプ(48)は、２箇所において曲げられており、一端部が第２流路(44)の第１パイプ接合面(42)側の開口内に挿入されるとともに、他端部が第３流路(45)の第２パイプ接合面(43)側の開口内に挿入された状態で継手本体(41)にろう付されている。
【００４０】
その他の構成は、実施形態１の二重管式熱交換器用継手(40)と同様であり、同一部分には同一符号を付す。
【図面の簡単な説明】
【００４１】
【図１】二重管式熱交換器に接合されたこの発明の実施形態１の二重管式熱交換器用継手と、エバポレータの入口パイプと出口パイプとに跨って取り付けられた膨張弁とを示す分解斜視図である。
【図２】図１のＡ−Ａ線拡大断面図である。
【図３】図２のＢ−Ｂ線断面図である。
【図４】二重管式熱交換器に接合されたこの発明の実施形態２の二重管式熱交換器用継手を示す斜視図である。
【図５】図４のＣ−Ｃ線拡大断面図である。
【図６】図５のＤ−Ｄ線断面図である。
【符号の説明】
【００４２】
(1)(40)：二重管式熱交換器用継手
(2)：二重管式熱交換器
(3)：膨張弁
(4)：外管
(5)：内管
(6)：高圧冷媒流路
(7)：低圧冷媒流路
(14)：高圧冷媒供給路
(15)：低圧冷媒排出路
(16)：第１流路
(17)(44)：第２流路
(18)(45)：第３流路
(20)(41)：継手本体
(21)(28)：連通パイプ
(22)：第１面
(23)：第２面
(24)(42)：第１パイプ接合面
(25)(43)：第２パイプ接合面
(26)：凹所
(30)：第１直線部
(31)：第２直線部
(32)(33)：筒状突出部
(36)：締結具挿通穴
【図１】
2010025460.tif 000003
【図２】
2010025460.tif 000004
【図３】
2010025460.tif 000005
【図４】
2010025460.tif 000006
【図５】
2010025460.tif 000007
【図６】
2010025460.tif 000008